(57)【要約】  【課題】  扉を閉める動作は勿論のこと、扉を開ける動作も一動作で行うことができる開閉扉の支持構造を提供する。  【解決手段】  ケージ本体１の開口部２を閉鎖する開閉扉３の支持構造であって、前記ケージ本体１の開口部２の一側縁に扉３の一側をヒンジ４により回動可能に取り付け、該扉３の前記ヒンジ４と反対側には、上下に掛止ピン９，９’を固着し、他方、ケージ本体１の開口縁における前記掛止ピン９，９’と対応する上下位置に、前記掛止ピンが嵌脱する係合凹部１２を有した係合板１１を固着すると共に、該係合板には前記係合凹部の入口を開閉するラッチ１３を回動可能に軸支し、更に前記上下のラッチ１３，１３をリリースバー１４で連結した。  【選択図】  図１
2008092825.tif 000002
【特許請求の範囲】
【請求項１】
ケージ本体の開口部を閉鎖する開閉扉の支持構造であって、前記ケージ本体の開口部の一側縁に扉の一側をヒンジにより回動可能に取り付け、該扉の前記ヒンジと反対側には、上下に掛止ピンを固着し、他方、ケージ本体の開口縁における前記掛止ピンと対応する上下位置に、前記掛止ピンが嵌脱する係合凹部を有した係合板を固着すると共に、該係合板には前記係合凹部の入口を開閉するラッチを回動可能に軸支し、更に前記上下のラッチをリリースバーで連結したことを特徴とする開閉扉の支持構造。
【請求項２】
前記ケージ本体における扉を回動可能に支持するヒンジの位置と、係合板の位置を付け替え自在としたことを特徴とする請求項１記載の開閉扉の支持構造。
【請求項３】
前記ラッチは、係合凹部に掛止ピンが嵌入し、且つラッチが前記係合凹部の入口を閉鎖する扉の閉鎖状態下で、上下のラッチを連結するリリースバーをケージ本体方向に押動した時、前記掛止ピンを係合凹部から押し出し、扉を開状態とする押出し面を有することを特徴とする請求項１又は２記載の開閉扉の支持構造。
【発明の詳細な説明】
【技術分野】
【０００１】
本発明は開閉扉の支持構造に関し、更に詳しくは扉の開閉をワンタッチで行うことができる支持構造に関する。
【背景技術】
【０００２】
動物等を収容するケージ（かご、おり等）は、箱型形状をしたケージ本体の開口部に扉が開閉可能に取り付けられ、その扉は外側からのみ開閉操作し得るように構成されている。そして、その開閉を行う構造として、ラッチを用いたものが提案されている（例えば、特許文献１参照）。
【０００３】
上記特許文献１に記載の扉の開閉構造は、ケージ本体の開口部の一側に、扉の一側辺をヒンジによって回動可能に支持し、その扉のヒンジと反対側の側辺部の上下位置にラッチ係止棒を配置し、他方、ケージ本体の開口部における前記扉のラッチ係止棒と対応する箇所に、前記ラッチ係止棒が挿入される切欠を上下に連設してなる２つの係止凹部を有するラッチ板と、該ラッチ板を上下方向に移動可能な状態に前記ケージ本体の開口側に固定する固定部材とを備えて構成されている。
【０００４】
そして、上記構成により、扉を閉じる時には、扉をケージ本体側に回動することで、２本のラッチ係止棒が、固定部材に形成したガイド凹部からラッチ板の係合凹部に入り、ラッチ板がその自重によって下がることにより前記ラッチ係止棒が係合凹部の上側の切欠内に係止され、扉は閉じられた状態となる。又、扉を開ける時は、ラッチ板を持ち上げて係合を解除し、扉を開方向に回動することにより、ラッチ係止棒が係止凹部から抜け出して扉は開く。
【０００５】
即ち、特許文献１に記載の扉の開閉構造は、扉を閉める時は、扉を閉じ方向に回動するだけで閉じ状態を確立できるが、扉を開ける操作は、「ラッチ板を上方に持ち上げる」操作と、「扉を開方向に回動する」操作の二動作が必要である。従って、扉を開ける時は、一方の手でラッチ板を上方に持ち上げ、もう一方の手で扉を回動することになり、両手で操作しなければならないという不便さを有する。
【０００６】
【特許文献１】実公平７−１９６９号公報
【発明の開示】
【発明が解決しようとする課題】
【０００７】
本発明は上記した従来の技術が有する問題点に鑑みてなされたもので、その目的とするところは、扉を閉める動作は勿論のこと、扉を開ける動作も一動作で行うことができる開閉扉の支持構造を提供することにある。
【課題を解決するための手段】
【０００８】
上記目的を達成する為に本発明が講じた技術的手段は、ケージ本体の開口部を閉鎖する開閉扉の支持構造であって、前記ケージ本体の開口部の一側縁に扉の一側をヒンジにより回動可能に取り付け、該扉の前記ヒンジと反対側には、上下に掛止ピンを固着し、他方、ケージ本体の開口縁における前記掛止ピンと対応する上下位置に、前記掛止ピンが嵌脱する係合凹部を有した係合板を固着すると共に、該係合板には前記係合凹部の入口を開閉するラッチを揺動可能に軸支し、更に前記上下のラッチをリリースバーで連結した構成を特徴とする。
【０００９】
上記ケージ本体の開口部に取り付ける扉は、ヒンジの取り付け側が固定され、それにより扉の回動方向が左開き又は右開きの何れかに決められている固定タイプ、或いはヒンジを開口部の左右何れの側にも取り付けることができ、それにより扉の回動方向を左開き／右開きに変更できる左右付け替えタイプの何れでもよい。
又、上記扉は金属線材（針金）を用いて格子目状に形成した網状扉、或いは平板、孔開き板（パンチングメタル）等、その形態は問わない。
【００１０】
又、ケージ本体の開口部の一側に扉の一側を回動可能に支持するヒンジ構造は、支軸とその支軸を回動可能に収容する受部材とで構成され、その支軸と受部材はケージ本体と扉に対応して取り付けられていればよい。尚、扉側に支軸を固着し、受部材をケージ本体側に着脱可能に取り付けた場合は、受部材の取り付け位置を開口部周縁の左側又は右側に付け替えることで、扉の回動方向を左右変更することができる。
【００１１】
そして、前記扉のヒンジと反対側に取り付けられる掛止ピンは、該掛止ピンを扉の面に溶接などによって直接固着してもよいが、部材を介在して間接的に固着してもよい。掛止ピンを間接的に固着する場合は、扉側に支持枠を溶接等により固着し、その支持枠に掛止片を該扉の縁に沿って上下方向に向くように架設固定するとともに、その掛止片の上下部に掛止ピンを略直角に交差させて固着する。
【００１２】
前記掛止ピンが嵌脱する係合凹部を切欠形成した係合板は、ケージ本体の開口部の周縁に、前記掛止ピンと対応させて上下に配置されるが、上下の係合板はそれぞれ独立した分離別体構造に限らず、上下の係合板が連結された一体構造としても良いものである。
【００１３】
そして、前記係合板に切欠した係合凹部の入口を開閉する如く揺動可能に軸支するラッチは、係合凹部に掛止ピンが嵌入し、且つラッチが前記係合凹部の入口を閉鎖する扉の閉鎖状態下で、上下のラッチを連結するリリースバーをケージ本体方向に押動した時、前記掛止ピンを係合凹部から押し出し、扉を開状態とする押出し面を有するように構成することができる。
【００１４】
上記手段によれば、ケージ本体側に固着された係合板の係合凹部の入口がラッチで閉鎖されている状態のもとで、開けられている扉をケージ本体側に押動すると、扉側に取り付けられた掛止ピンは、ケージ本体側の開口部の周縁に固着された係合板の係合凹部の入口を閉鎖し、且つ該係合凹部の奥側に向かって下向きに傾斜するラッチの円弧状外周面に当接し、扉の閉動に伴う掛止ピンの直線移動により該ラッチは前記円弧状外周面が掛止ピンの外周面を滑動して係合凹部の入口を開放する方向（図面上では反時計回り方向）に回動される。そして、ラッチの回動で係合凹部の入口が開放されると、前記掛止ピンは係合凹部に嵌入する。更に掛止ピンが係合凹部の奥に向かって移動すると、係合凹部の奥部には前記回動でラッチの内周面に形成された押出し面が突出する為、その押出し面に掛止ピンが当たることで前記ラッチは係合凹部の入口を閉鎖する方向（図面上では時計回り方向）に回動される。同時に上下のラッチを連結するリリースバーの重量が作用して、上下のラッチは前記係合凹部の入口を閉鎖する方向に回動され、係合凹部の入口を閉鎖する。それにより、扉の閉鎖状態が確立される。
又、閉鎖状態の扉を開ける時は、リリースバーをケージ本体側に押動すると、該リリースバーの上下部に連結されたラッチは係合板との軸支部を中心として回動する。そして、回動するラッチの略Ｃ字状内周面、即ち押出し面で前記掛止ピンを係合凹部の入口側に向かって押し出す。それにより、押し出された掛止ピンが係合板の係合凹部から外れることで扉のロックは解除され、開き状態となる。尚、前記リリースバーの押動を勢いをつけて行った場合は、前記ラッチによる掛止ピンの押し出しも反動により勢い良く行われ、扉を一挙に開状態にすることができる。
【発明の効果】
【００１５】
本発明の開閉扉の支持構造は請求項１記載の構成により、扉の開動／閉動を一動作で行うことができる。従って、動物を片手で抱いた状態で、もう一方の空いた片手で扉の開閉を簡単に行うことができる。
そして、請求項２記載の構成とした場合は、扉の回動方向を左右変更することができると共に、左右何れの回動方向においても扉の開動／閉動を一動作で行うことができる。
又、請求項３記載の構成により、閉鎖状態（ラッチ）の解除のみならず、開口部を閉鎖する扉を開口部を開放する位置まで同時に回動することができる。よって、ロックの解除と扉の開動を一動作で行うことができる。
従って、扉の開閉動作を片手で行うことができる支持構造を提供できる、
【発明を実施するための最良の形態】
【００１６】
以下、本発明の実施の形態を図面に基いて説明する。
図１は本発明に係る開閉扉の支持構造を備えた動物用ケージを示し、図中、１は金属平板で構成した箱体形状のケージ本体、２は前記ケージ本体１の周壁の一部に開設した開口部、３は前記開口部２を閉鎖する扉で、前記ケージ本体１の開口部２の周縁の一方にヒンジ４で回動可能に支持され、ヒンジ４と反対側はケージ本体１に対して掛止／掛外し自在に構成されている。
【００１７】
前記扉３は、金属製棒材又は針金を用いて格子目状に形成した網状扉で、その扉の一側の上下部に、ヒンジ４を構成する支軸５が該扉３を構成する棒材又は線材を延長して一体に形成されている。具体的には、図示するように、扉３を構成する棒材又は線材の一部を外周縁より外方に延長突出し、その突出部を正面視略コの字型に折り曲げ、折り曲げた端部を外周縁と平行に配置する。尚、上下の支軸５を夫々対向する中心方向に向けて折り曲げた場合は、後述するヒンジ４のもう一方の構成部材である受部材６の取り付け位置をケージ本体１の開口部２を挟む左右位置に変更することで、該扉３を前記支軸５を利用してそのまま左右任意に装着することができる。
【００１８】
前記支軸５を収容する受部材６は、金属製平板を略矩形状に裁断し、これの一半部を略コ字状又は略Ｕ字状に屈曲形成して筒部６ａが形成され、これをケージ本体１の開口部２の周縁に、他半部の水平片部６ｂを重ね合わせてビス７で固着することで、前記筒部６ａとケージ本体１の開口部周縁とで前記支軸５の収容部が区画形成される。
又、前記受部材６は、図５に示すように、水平片部６ｂの上下端部にビス７の軸部が嵌合するＵ字状の切欠き部６ｃが形成されている。それにより、該受部材６の着脱付け替えを簡便に行うことができる。
【００１９】
上記ヒンジ４によって回動可能に支持した扉３の反対側には、掛止ピン９，９’を上下に備えた掛止片８が、前記扉３の外周縁に沿って溶接した支持枠１０に固着されている。
前記掛止片８は、金属平板を細幅短冊状に裁断して形成され、その掛止片８の長手方向の上下端部側面に掛止ピン９，９’が略直角に交差させて水平に固着されている。そして、この掛止片８を固着保持する支持枠１０は、金属平板からなる短冊片の上下に略直角に折り曲げた起立片１０ａが一体に形成され、その上下の起立片１０ａに亘って前記掛止片８が架設固定される。尚、掛止片８を固定する作業性を考慮して、前記支持枠１０の起立片１０ａに上下方向に貫通する孔１０ｂを開設し、上下の孔１０ｂに亘って掛止ピン９，９’を取り付ける前の掛止片８を挿入し、起立片１０ａを貫通して外方に突出する掛止片８の上下部に掛止ピン９，９’を固着し、該掛止ピン９，９’の位置がケージ本体１側の係合板１１の係合凹部１２と対応する位置となるように上下方向に移動調整し、調整を完了した位置で掛止片８を支持枠１０に溶接固定する。
【００２０】
前記掛止ピン９，９’が係脱するケージ本体１側の掛止手段は、掛止ピン９，９’が嵌脱する係合凹部１２を切欠形成した係合板１１と、その係合板１１の係合凹部１２の入口を開閉するラッチ１３と、上下のラッチ１３，１３を連結するリリースバー１４とで構成されている。
【００２１】
前記係合板１１は、台板１１ａの上下部の表面に垂直片１１ｂを略直角に起立固着して略Ｔ字状に形成され、台板１１ａの上下端部には該係合板１１をケージ本体１にビス止めするビス１５の軸部が嵌合するＵ字状の切欠き部１１ｃが形成されている。
台板１１ａの表面に固着する上下の垂直片１１ｂの間隔は、前記掛止ピン９，９’の間隔に合致させて形成されている。
又、係合板１１の垂直片１１ｂには扉３側に固着された掛止ピン９（又は９’）が嵌入する略Ｕ字状の係合凹部１２が、前端面より後方に向かって所定深さ切欠き形成されている。尚、図示の係合板１１は、１個の台板１１ａに所定の間隔をおいて上下の垂直片１１ｂを固着した形態を示したが、上下をそれぞれ独立した構成としてもよい。但し、何れの場合でもケージ本体１の開口部２周縁に固着するヒンジ４を構成する受部材６と係合板１１を左右付け替えて取り付けられるように、受部材６を固定するビス７のビス穴と、係合板１１を固定する為のビス１５のビス穴の位置を共通化するために対称位置に形成されている。それにより、扉３の回動方向を左右変更できるようになる。
【００２２】
そして、この係合凹部１２が形成された垂直片１１ｂの側面には、ラッチ１３が重ねて配置され、ピン１６で上下回動可能に軸支されている。
前記ラッチ１３は、正面略Ｃ字型に形成され、そのＣ字型をした円弧片の中央部より下方位置が垂直片１１ｂにピン１６で上下回動可能に軸支されている。それにより、ラッチ１３がピン１６を中心として上方（反時計回り方向）に回動することで係合凹部１２の開口部が開放され、逆に下方（時計回り方向）に回動することで係合凹部１２の開口部を閉鎖する。
該ラッチ１３における略Ｃ字型の円弧片の内周面には、該ラッチ１３が上方に回動した時、係合凹部１２内に嵌入されている掛止ピン９（又は９’）を、該係合凹部１２の開口部を開放すると同時に係合凹部１２より押し出す押出し面１7が一体に形成されている。
又、係合凹部１２の開口部を閉鎖する前記ラッチ１３の円弧片の外周面２２は、扉３がケージ本体１の開口部２を閉鎖する方向に回動された時、該扉３の掛止ピン９，９’がラッチ１３の円弧外周面に当接し、そのまま係合凹部１２の奥部に向かって直進する動作に伴い、該ラッチ１３はピン１６を中心として前記円弧状の外周面２２が掛止ピン９（又は９’）の外周面を滑動して係合凹部１２の開口部を開放する方向（反時計回り方向）に回動するように形成されている。
【００２３】
更に、前記ラッチ１３には突部１８が一体に突出形成され、上下に配置したラッチ１３，１３の突部１８相互に亘ってリリースバー１４がネジ２１で連結されている。これにより、上下のラッチ１３，１３はリリースバー１４を介して同時に作動するように構成されている。
【００２４】
また、前記ラッチ１３はピン１６を中心として回動するが、その回動をスムーズに行わせるために前記垂直片１１ｂに前記ピン１６を中心とした案内円弧溝１９が形成され、他方、前記ラッチ１３には前記案内円弧溝１９に嵌入する案内ピン２０が固着されている。尚、案内ピン２０として頭付きピンを使用した場合は、ラッチ１３が回動する時、該ラッチ１３が回動方向と直交する方向にブレ無いようにすることができる。また、ラッチ１３の回動ブレを防止する手段としては、ラッチ１３を２枚の垂直片で挾着し、これをピン１６で軸支してもよい。
【００２５】
次に、扉３の開閉について説明する。
先ず、図１及び図２に示す扉３が閉じられた状態では、扉３に支持枠１０を介して取り付けた掛止片８の掛止ピン９が、ケージ本体１の開口部２の周縁に固着した係合板１１の垂直片１１ｂに切欠した係合凹部１２に嵌入すると共に、該係合凹部１２の開口部はラッチ１３で閉鎖され、扉３は閉鎖状態に保持される。そして、扉３が閉鎖された状態において、該扉３をケージ本体１の内側から開けようとして外方に押しても、上下の係合凹部１２の開口部を閉鎖する上下のラッチ１３が閉鎖方向に保持されている為、ケージ本体１の内側から押して開けることはできない。
【００２６】
扉３を開ける時は、図３に示すように、リリースバー１４をケージ本体１側に向けて押動すると、該リリースバー１４に連結された上下のラッチ１３は夫々ピン１６を中心として後方（反時計回り方向）に回動し、それに伴いラッチ１３の内側面に形成された押出し面１７が係合凹部１２内に嵌入している掛止ピン９，９’を係合凹部１２の開口部側に向かって押出す。それにより扉３側の掛止ピン９，９’は係合凹部１２から開放され、扉３は開き状態となる。尚、前記リリースバー１４の押動を勢いをつけてやった場合は、ラッチ１３による押出しも反動で勢いよくでき、それにより扉３を、ケージ本体１の開口部２が略全開となる位置まで回動することができる。従って、リリースバー１４を押動する片手操作で扉３を開動することができる。
【００２７】
また、扉３が開いており、ケージ本体１側のラッチ１３は係合凹部１２の開口部を閉鎖する状態にある時、ケージ本体１内に犬、猫等の収容物を入れて前記扉３を閉動方向に回動すると、該扉３に取り付けられた掛止ピン９，９’が、係合凹部１２の開口部を閉鎖するラッチ１３の外周面２２に当接し、更に該掛止ピン９，９’の直進により前記外周面２２は掛止ピン９，９’の周面を上方に向けて滑動し、該ラッチ１３はピン１６を中心として後方（反時計回り方向）に回動され、係合凹部１２の開口部の閉鎖状態を開放方向に切り替える。そして、開放状態への切り替わりに伴い掛止ピン９，９’は係合凹部１２の奥側へと嵌入する。係合凹部１２の奥部には前記回動でラッチ１３の内周面に形成された押出し面１７が突出する為、その押出し面１７に前記掛止ピン９，９’が当たることで前記ラッチ１３は係合凹部１２の入口を閉鎖する方向（図面上では時計回り方向）に回動される。同時に上下のラッチ１３を連結するリリースバー１４の重量が作用して、上下のラッチ１３は前記係合凹部１２の入口を閉鎖する方向に回動され、係合凹部１２の入口を閉鎖する。それにより、扉３の閉鎖状態が確立される。
【００２８】
図６は扉３の回動方向を左方向と、右方向に付け替えたケージを二個並設し、観音開き様にした状態を、図７は扉の回動方向を同じにセットしたケージを二個並設した状態を示し、使用形態に応じて自由に調整することができる。
【図面の簡単な説明】
【００２９】
【図１】本発明の一実施例を示す正面図。
【図２】（ａ）は扉の閉鎖状態における要部の一部切欠拡大側面図、（ｂ）は同拡大正面図。
【図３】扉を開けるためにリリースバーを押動した状態を示す一部切欠拡大側面図。
【図４】要部の拡大斜視図。
【図５】扉のヒンジ構造を示す斜視図。
【図６】扉の回動方向が左方向と、右方向に付け替え調整した二個のケージを並設した状態を示す斜視図。
【図７】扉の回動方向を同じ方向に調整した二個のケージを並設した状態を示す斜視図。
【符号の説明】
【００３０】
１…ケージ本体                    ２…ケージ本体の開口部
３…扉                            ４…ヒンジ
８…掛止片                  ９，９’…掛止ピン
１１…係合板                      １２…係合凹部
１３…ラッチ                      １４…リリースバー
１７…押出し面（ラッチの内周面）  ２２…ラッチの外周面
【図１】
2008092825.tif 000003
【図２】
2008092825.tif 000004
【図３】
2008092825.tif 000005
【図４】
2008092825.tif 000006
【図５】
2008092825.tif 000007
【図６】
2008092825.tif 000008
【図７】
2008092825.tif 000009
【手続補正書】
【提出日】平成18年10月17日(2006.10.17)
【手続補正１】
【補正対象書類名】図面
【補正対象項目名】図４
【補正方法】変更
【補正の内容】
【図４】
2008092825.tif 000010